(57)【要約】【課題】一体型カード（多機能カード）のカード処理装置への適切な挿入を直感的に把握可能に案内するための技術を提供する。【解決手段】 取引種別を選択した後に利用者が挿入したカードの磁気ストライプに記録されているデータを読み取り、その取引種別、及びデータ中のＭＳ識別コードから、カードが適切に挿入されたか否か判定する。適切に挿入されなかったと判定した場合、カード意匠番号が０のカード意匠データと、カード意匠番号が１或いは２のカード意匠データとを、取引種別、及びＭＳ識別コードから特定される組み合わせでカードの表裏の両面に表示させる。そのようにして、カード自体を、そのカードを適切に挿入するのを支援する案内に用いる。【選択図】図１１
2010055544.tif 000002
【特許請求の範囲】
【請求項１】
異なる箇所にそれぞれデータが記録された多機能のカードをカード処理装置に設けられた出入口に利用者が適切に挿入するのを案内するための方法であって、
前記カードとして、表、及び裏のうちの少なくとも一方に画像を書き換え可能な表示装置を配置した媒体を採用し、
前記カード処理装置で利用者が所望のサービスを指定した後に前記出入口に挿入した前記カードが、該指定のサービスによって特定される挿入方向で挿入されたか否か確認し、
該確認により、前記カードが前記特定される挿入方向で挿入されなかったことが確認された場合に、該カードの表示装置に該特定される挿入方向を案内するための案内用画像を形成させて利用者に返却することにより、該カードを用いて、該カードの適切な挿入を支援する案内を行う、
ことを特徴とするカード挿入案内方法。
【請求項２】
カードを挿入する出入口を備え、該カードより読み取ったデータに応じたサービスを提供するための処理を実行可能なカード処理装置において、
前記カードの利用者に所望のサービスを選択させるサービス選択手段と、
前記出入口に挿入されたカードを内部に取り込み、読み取り位置に対応する該カードの位置に記録されたデータを読み取るデータ読取手段と、
前記サービス選択手段により選択されたサービスを提供するために必要なデータが、前記データ読取手段より読み取られたか否かを判定することにより、前記出入口に適切に前記カードが挿入されたか否かを確認するカード確認手段と、
前記カード確認手段により、前記出入口に適切に前記カードが挿入されていないことが確認された場合に、前記選択されたサービスを提供するために必要なデータが読み取られるように、該カードを適切に該出入口に利用者が挿入するのを支援するための案内用画像を該カードの表面、及び裏面のうちの少なくとも一方に新たに形成させる画像書換手段と、
を具備することを特徴とするカード処理装置。
【請求項３】
前記カード処理手段は、前記カードに搭載された電子回路と通信する通信手段を備え、
前記画像書換手段は、前記通信手段を用いた通信が可能なカードを対象に、該通信手段を用いて前記案内用画像を新たに形成させる、
ことを特徴とする請求項２記載のカード処理装置。
【請求項４】
前記カード処理装置は、前記サービスとして金融取引を提供可能な自動機である、
ことを特徴とする請求項２記載のカード処理装置。
【発明の詳細な説明】
【技術分野】
【０００１】
本発明は、異なる箇所にそれぞれデータが記録された多機能のカードの利用者がそのカードを用いてサービスをより快適に利用できるようにするための技術に関する。
【背景技術】
【０００２】
カードのなかには、表面にデータが記録可能な記憶領域が形成されている種類がある。その種類のカードは今日、キャッシュカードやクレジットカード等として幅広く採用されている。
【０００３】
キャッシュカードやクレジットカード等では、記憶領域は普通、磁気ストライプと呼ばれる帯状の形状で設けられている。カードを用いて提供可能なサービスは、磁気ストライプに記録されたデータを読み出して行われる。このようなことから、ＡＴＭ（Automatic Teller Machine）等のカードを取り扱えるカード処理装置では、それに設けられたカードの出入口に、磁気ストライプのデータを読み取れるように挿入しなければならないようになっている。データの読み取りにより、そのデータを用いたサービスが可能となることから、カードへの機能の搭載は、磁気ストライプに必要なデータを記録することで実現される。
【０００４】
近年、複数の機能を搭載した一体型のカードが発行されるようになっている。具体的には、キャッシュカード機能とクレジットカード機能を搭載させたもの、更にローン機能等を搭載させたもの、等が発行されている。そのような一体型カード（多機能のカード）では、一つでより様々なサービスを受けられることから、より高い利便性を備えている。
【０００５】
一体型カードでも、搭載された機能毎に、その機能の実現に必要なデータは磁気ストライプに記録される。このため、カードのカード処理装置への挿入は、表裏を含め、適切な向きで行わなければならない。挿入方向は表裏を含めて適切でなければならないことから、カードの利用者が挿入方向を誤ることは多いと考えられる。
【０００６】
カード処理装置では普通、カードの挿入前に、そのカードの利用者が所望のサービスを選択できるようになっている。その選択を行った場合、カード処理装置に搭載された表示装置を用いて、一体型カードを想定しその挿入方向を案内することが考えられる。
【０００７】
周知のように、カードの面に形成された画像（デザイン。以降「意匠」と呼ぶ）はカードによって異なる。このため、挿入方向の案内は文字情報により行うこととなる。その文字情報では、表裏を含めた適切な挿入方向を直感的に理解可能な形で案内することは非常に困難である。適切な挿入方向を理解するのに比較的に長い時間を必要とするものとなる。このようなことから、一体型カードを想定した場合、直感的に適切な挿入方向が分かるように案内することが重要と考えられる。
【特許文献１】特開２００１−１０２６１号公報
【特許文献２】特開平７−３３４７２０号公報
【発明の開示】
【発明が解決しようとする課題】
【０００８】
本発明は、一体型カード（多機能カード）のカード処理装置への適切な挿入を直感的に把握可能に案内するための技術を提供することを目的とする。
【課題を解決するための手段】
【０００９】
本発明を適用した１システムでは、異なる箇所にそれぞれデータが記録された多機能のカードとして、表、及び裏のうちの少なくとも一方に画像を書き換え可能な表示装置を配置した媒体が採用可能と想定し、カード処理装置で利用者が所望のサービスを指定した後に出入口に挿入したカードが、その指定のサービスによって特定される磁気ストライプに記録されたデータが読み取られる挿入方向で挿入されたか否か確認し、その確認により、カードがその特定される挿入方向で挿入されなかったことが判明した場合に、カードの表示装置にその特定される挿入方向を案内するための案内用画像を形成させて利用者に返却することにより、挿入されたカード自体を用いて、そのカードを適切に挿入するのを支援する案内を行う。
【００１０】
４種類以上の機能を１枚のカードに搭載させた場合、カードは表裏、及び前後の両方で正しい挿入方向で挿入しなければ利用できない。カードに案内用画像を形成すると、表裏のどの面を上側にすべきか、前後の何れかの側から挿入すべきか、といったことを直接的に把握可能な形で示すことが可能となる。なぜなら、上側にすべき面は、案内用画像を形成させた面を基準にして表現することができ、前後のなかで挿入すべき方向を、矢印等により直接的に示すことができるからである。このようなことから、直感的に、言い換えれば、迅速、且つ容易に把握できる形でカードの適切な挿入の仕方を提示できることとなる。
【発明の効果】
【００１１】
本発明を適用した場合には、一体型カード（多機能カード）のカード処理装置への適切な挿入を直感的に把握可能に案内することができる。
【発明を実施するための最良の形態】
【００１２】
以下、本発明の実施形態について、図面を参照しながら詳細に説明する。
図１は、本実施形態によるカード処理装置の外観図である。このカード処理装置１０は、各種金融取引を行うことが可能なＡＴＭ（Automatic Teller Machine）等の自動機に本発明を適用したものである（このことから以降、自動機を代表する「ＡＴＭ」と呼ぶ）。図１に示すようにＡＴＭ１０の正面側（利用者と対向する側）には、利用者がカードを挿入するカード出入口１１、通帳を挿入する通帳出入口１２、紙幣を対象とした入金、或いは出金用の紙幣出入口１３、硬貨を対象とした入金、或いは出金用の硬貨出入口１４、各種画面を表示可能な表示部１５、表示部１５の画面を覆うように設置されたタッチパネル部１６、及び二つのスピーカ１７が設けられている。
【００１３】
図２は、上記ＡＴＭ１０の回路構成図である。図２に示すようにＡＴＭ１０は、ＡＴＭ１０全体の制御を行うＡＴＭ制御部２１と、ＡＴＭ制御部２１がワークに用いる内部メモリ２２と、例えば不揮発性の記憶装置である記憶部２３と、カード出入口１１から挿入されたカードにアクセスするカード処理部２４と、通帳出入口１２から挿入された通帳への記帳を行う通帳処理部２５と、紙幣出入口１３を介した入金、或いは出金を行う紙幣処理部２６と、貨幣出入口１４を介した入金、或いは出金を行う硬貨処理部２７と、上記表示部１５と、上記タッチパネル部１６と、二つのスピーカ１７からなるスピーカ群２８ａを介して音声を出力させる音声出力部２８と、不図示のホストコンピュータ（以降「ホスト」と略記）と通信ネットワークを介して通信を行う通信部２９と、を備えた構成となっている。
【００１４】
上記ＡＴＭ制御部２１は、例えばＣＰＵが搭載されたプリント基板（ＰＣＢ）である。内部メモリ２２は、例えばプリント基板上に搭載されたＲＡＭであり、記憶部２３は、例えばプリント基板上に搭載されたフラッシュメモリ、或いはプリント基板と接続されたハードディスク装置等の外部記憶装置である。ＡＴＭ制御部２１は、記憶部２３に格納されたプログラムを実行することにより、ＡＴＭ１０全体の制御を実行する。
【００１５】
上記カード処理部２４は、カード出入口１１から挿入されたカードを内部に取り込み、カードに設けられた磁気ストライプに記録されているデータの読み取り等を行う。データの読み取りのために磁気リーダライタ部２４ａを備えている。２４ｂは、カードに搭載されたＩＣ等と通信を行うカード通信部である。
【００１６】
図４は、一体型カード例を示す図である。図４（ａ）は表側、図４（ｂ）は裏側をそれぞれ示している。
図４に示すカードＣＤは、計４つの機能、つまりキャッシュカード機能、クレジットカード機能、ローンカード機能、及びポイントカード機能を搭載した一体型（多機能）カードである。図４（ａ）及び（ｂ）にそれぞれ示す磁気ストライプ４１〜４４には、キャッシュカード機能、クレジットカード機能、ローンカード機能、及びポイントカード機能の実現に必要なデータが記録されている。ここでは、キャッシュカードとしてカードＣＤを用いる場合に先に挿入する側を「前」、その反対側を「後」と呼ぶことにする。同様に裏側では、ローンカードとしてカードＣＤを用いる場合に先に挿入する側を「前」、その反対側を「後」と呼ぶことにする。また、表面上の磁気ストライプについては、後から前を見た視点で位置を表現することとする。その想定では、キャッシュカード機能のデータが記録された磁気ストライプ４１は、表側の面の右側に配置されていると表現することができる。特定の磁気ストライプを指さない場合には、符号は付さないこととする。
【００１７】
図４に示すカードＣＤの表裏の両方には、電子ペーパー４５及び４６が配置されている。電子ペーパーは、周知のように、紙のような感覚で利用できる極薄の表示装置であり、データ（画像）の表示や消去を繰り返し行うことができる。表示内容を変化させる時には電力を消費するが、表示内容の維持には電力は必要としない。このような特徴を備えていることから、カードＣＤに搭載させている。図４中の破線４７は、カードＣＤに搭載されたアンテナを示している。そのアンテナ４７は、通信だけでなく、電力を得るためにも利用される。
【００１８】
図４に示すカードＣＤは一例であり、一体型カードは図４に示すようなものに限定されるわけではない。しかしここでは混乱を避けるために、一体型カードとしては図４に示すように機能別のデータが各磁気ストライプ４１〜４４に記録されているものと想定する。
【００１９】
図５は、カードＣＤの回路構成を示す図である。図５に示すように、アンテナ４７と、画像を表示させる電子ペーパー表示部５１と、外部とアンテナ４７を介して非接触で通信を行う電子ペーパー通信部５２と、電子ペーパー全体の制御を実行する電子ペーパー制御部５３と、電子ペーパー表示部５１にそれぞれ表示させるべき画像データを記憶した電子ペーパー記憶部５４と、を備えている。アンテナ４７を除く各部５１〜５４は１個のＩＣ（電子回路）上に搭載されている。
【００２０】
通信のために外部から放射される電波はアンテナ４７の内側を通る磁束を変化させ、アンテナ４７に電流を発生させる。その電流から、不図示の電源部は電力を生成し各部５１〜５４に供給する。それにより、電子ペーパー制御部５３は、電子ペーパー通信部５２を介して通信を行い、外部からの要求に応じた処理を実行する。
【００２１】
電子ペーパー表示部５１は、電子ペーパー制御部５３による指示に従い、例えば電子ペーパー記憶部５４に記憶された画像データを用いて電子ペーパー４５及び４６に画像を表示させる。このことから、電子ペーパー４５及び４６の表示内容は、電子ペーパー記憶部５４に記憶された画像データの書き換えを通して変更できるようになっている。
【００２２】
カードＣＤにどのような機能に対応するデータを搭載するかは任意であり、カードＣＤ
を発行する金融機関によって異なるのが普通である。このことから実際には、カードＣＤのどの位置の磁気ストライプにどの機能に対応するデータを記録させたかを示す情報を各磁気ストライプのデータに記録するか、或いは電子ペーパー制御部５３の制御でＡＴＭ１０側に通知することが必要である。
【００２３】
図６は、磁気ストライプのフォーマットを示す図である。図６に示すフォーマットは、キャッシュカード機能のデータが記録された磁気ストライプのものである。その磁気ストライプは複数のフィールド（記録領域）に分けられ、この磁気ストライプに格納されたデータの種類を示すＭＳ識別コードが記録されている。複数のフィールドは、格納するデータの内容に応じて使用される。図６に示す例では、利用者が開設した口座に係わる口座情報が１フィールドにのみ格納されている。口座情報が格納されているフィールドは「口座情報フィールド」と表記している。口座情報とは、例えば口座が開設された金融機関（及びその支店等）、口座番号、及び口座の種類、等を示す複数のデータから構成されている。
【００２４】
クレジットカード機能のデータを記録した磁気ストライプでは、口座情報の代わりに、クレジットカード会社、カード番号等を示すクレジットカード情報が格納される。ローンカード機能のデータを記録した磁気ストライプでは、ローンカード会社、カード番号等を示すローンカード情報が格納され、ポイントカード機能のデータを記録した磁気ストライプでは、企業（利用者が会員となった企業）、カード番号等を示すポイントカード情報が格納される。
【００２５】
図７は、取引テーブルのデータ構成を示す図であり、図８は、ＭＳ識別テーブルのデータ構成を示す図である。ここで、図７及び図８を参照して、ＡＴＭ１０で可能な取引、並びにカードＣＤの磁気ストライプに記録されたデータに割り当てられたＭＳ識別コードの値、及びその機能を用いて行える取引について具体的に説明する。それらのテーブルは共に記憶部２３に格納されている。
【００２６】
図７に示す取引テーブルには、ＡＴＭ１０でサービスとして提供可能な取引（主に金融取引）の名称（取引名）毎に、その取引名に割り当てられた取引種別（コード）の値が定義されている。ここでは便宜的に、取引としては支払、預入、残高照会、クレジット（借入、或いは返済等）、ローン（借入、或いは返済等）、ポイント照会、及び記帳のみを想定する。それらの取引には取引種別として１〜７のうちの何れかの値が割り当てられている。
【００２７】
図８に示すＭＳ識別テーブルには、カードＣＤの磁気ストライプに記録されたデータの種類を示すＭＳ識別コードの値、可能な取引が定義されている。ＭＳ識別コードの値は、キャッシュカード機能では１、クレジットカード機能では２、ローンカード機能では３、ポイントカード機能では４がそれぞれ割り当てられている。キャッシュカード機能では支払、預金、及び残高照会が可能となっている。クレジットカード機能ではクレジット、ローンカード機能ではローン、ポイントカード機能ではポイント照会のみがそれぞれ可能となっている。
【００２８】
図３は、上記カード処理部２４の構成を示す図である。図３（ａ）は側面図、図３（ｂ）は上面図、図３（ｃ）は下面図である。図３中、３１はカードＣＤの搬送路である。図３（ａ）〜（ｃ）に示すように、カード通信部２４ｂと磁気リーダライタ部２４ａは共に搬送路３１の上方に配置されている。カード通信部２４ｂは磁気リーダライタ部２４ｂより奥側に配置されている。搬送路３１に沿ってカードＣＤを搬送するための動力源となるモータやそのモータの動力を伝達する機構、及びセンサ等は省略している。
【００２９】
磁気リーダライタ部２４ａは、カード出入口１１に対向する側から上方から見た場合、搬送路３１の右側に配置されている。それにより、カード出入口１１に挿入されたカードＣＤの上側の面に２つの磁気ストライプが設けられていても、そのうちの一つからのみデータを読み出すようになっている。カードＣＤは、例えばカード通信部２４ｂにより通信可能な位置まで取り込まれ、その位置からカード出入口１１に向けて搬送されることで返却される。
【００３０】
磁気リーダライタ部２４ａが磁気ストライプから読み出したデータは、ＡＴＭ制御部２１に送られる。ＡＴＭ制御部２１は、タッチパネル部１６を介して利用者が要求した処理内容をそのデータと共に通信部２９によりホストに送り、その処理結果を受け取る。その処理内容に応じた自ＡＴＭ１０の制御は、その処理結果に従って行う。それにより、紙幣処理部２６、及び／或いは、硬貨処理部２７を用いた入出金や、音声出力部２８を介した通知等を実現させる。表示部１５に表示させる画面は、タッチパネル部１６への操作に応じて随時、更新する。
【００３１】
通帳処理部２５は、通帳に設けられた磁気ストライプに記録されているデータを読み取る不図示の通帳リーダ部、通帳に記帳を行うためのプリンタ部、及び通帳をめくるための機構部等を備えている。ＡＴＭ制御部２１は、その通帳リーダ部が読み取ったデータをホストに送信して、記帳の対象となるデータを取得し、プリンタ部や機構部等を制御して、取得したデータを用いた記帳を行う。
【００３２】
図４に示すように４種類の機能を搭載したカード（一体型カード）ＣＤでは、その機能の数と同じ数だけ挿入方向は存在する。表側、及び裏側の面を上にした場合の挿入はそれぞれ２通りの方法で行うことができる。利用を望む機能は、表裏、及び前後の両方で正しい挿入方向でなければ利用できない（その機能のデータを磁気ストライプから読み出すことができない）。カードＣＤを挿入するうえでの選択肢が多いことから、利用者のなかには適切に挿入するのが困難な人も居ると考えられる。このことから本実施形態では、カードＣＤを適切に挿入できなかった利用者を対象に、以下のような案内を行い、カードＣＤを適切に挿入するのを支援するようにしている。
【００３３】
取扱の対象となるカードＣＤの種類は非常に多い。カードＣＤのデザイン（意匠）も様々である。このため、文字情報では、カードＣＤ別に表裏、及び前後の区別を利用者に伝えることさえ困難である。このことから本実施形態では、カードＣＤ、より具体的には、そのカードＣＤに搭載された２つの電子ペーパー４５及び４６を用いて案内を行っている。
【００３４】
図１１は、カードＣＤに搭載された２つの電子ペーパー４５及び４６に案内用に表示させる画像（図中「カード意匠データ」と表記）を説明する図である。
挿入方向の間違いは、表裏を間違える（表裏のなかで上側にすべき面を上側にしなかった）、前後を間違える、の２つに大別される。このことから、その２つの何れの間違いもしないように、２つの電子ペーパー４５及び４６を用いた案内を行うようにしている。カード意匠番号は、カード意匠データ（画像データ）の管理用の識別データであり、カード意匠番号が０のカード意匠データは、挿入時に下側にすべき面の電子ペーパーに表示させるようになっている。カード意匠番号が１及び２のカード意匠データは共に、挿入時に上側にすべき電子ペーパーに表示させる対象となるものである。カード意匠番号が１のカード意匠データは、例えば前から挿入すべき場合に表示させるものであり、その番号が２のカード意匠データは、後から挿入すべき場合に表示させるものである。カード意匠番号が０のもの、及びその番号が１或いは２のものを２つの電子ペーパー４５及び４６に表示させることにより、利用者はカードＣＤの挿入方向を直感的に正しく把握することができる。
【００３５】
ＡＴＭ制御部２１は、取引を開始する前は図１３（ａ）に示す取引種別選択画面を表示部１５に表示させることにより、所望の取引を利用者に選択させる。カードＣＤの挿入は、取引を利用者が選択した後、図１３（ｂ）に示すカード挿入要求画面を表示部１５に表示させ、促すようにしている。このことからＡＴＭ制御部２１は、利用者が選択した取引（種別）、及び磁気リーダライタ部２４ａが読み取ったデータ中のＭＳ識別コードを
参照して、カードＣＤが正しく挿入されたか否か（選択された取引に対応する磁気ストライプに記録されたデータが読み取られたか否か）の確認を行っている。正しく挿入されていないことが判明した場合には、電子ペーパー４５及び４６に表示させるべきカード意匠データの特定も選択された取引と読み取ったデータ中のＭＳ識別コードを参照して行っている。
【００３６】
図９は、カード意匠パターン決定テーブルのデータ構成を示す図であり、図１０は、カード意匠パターンテーブルのデータ構成を示す図である。ここで図９及び図１０に示すテーブルを参照して、カードＣＤが正しく挿入されたか否かの確認方法、及び正しく挿入されなかった際の電子ペーパー４５及び４６に表示させるべきカード意匠データの特定方法について具体的に説明する。図９及び図１０に示す各テーブル、並びに各種カード意匠データは記憶部２３に格納されている。
【００３７】
図９に示すカード意匠パターン決定テーブルは、取引種別毎に、その取引種別の取引が可能なＭＳ識別コードの値、及び案内用に表示させるべき２つのカード意匠データの組み合わせを示すカード意匠パターン番号を定義したものである。取引種別を示す値、及びＭＳ識別コードの値以外の０〜４の数字は、０は取引が可能であることを示し、１〜４の数字は、カード意匠パターン番号を示している。従って、取引種別、及びＭＳ識別コードの値により特定される欄の値が１〜４の何れかのカード意匠パターン番号であった場合には、顧客が選択した取引種別に対して不適切な挿入方向でカードＣＤが挿入されたことを意味している。  図１０に示すカード意匠パターンテーブルは、カード意匠パターン番号毎に、カードＣＤの表裏の各面に配置された電子ペーパー４５及び４６にそれぞれ表示させるべきカード意匠データを示すカード意匠番号の組み合わせを定義したものである。そのテーブルを参照することにより、結果として、利用者が選択した取引種別から特定されるデータを磁気ストライプから読み出せるようにカードＣＤの挿入を案内するカード意匠データ（カード意匠番号）の組み合わせが特定される。
【００３８】
本実施形態では、電子ペーパー４５及び４６に表示させていたオリジナルのデザイン（意匠）を復元できるように、電子ペーパー記憶部５４に格納されている画像データを読み出した後、表示させるべきカード意匠データを電子ペーパー記憶部５４に記憶させるようにしている。そのようにして、電子ペーパー記憶部５４に格納させる画像データを書き換えることにより、カード意匠データによる案内用の意匠の表示、及びオリジナルの意匠の再表示を行えるようにしている。
【００３９】
図１２は、全体処理のフローチャートである。この全体処理は、説明上、便宜的に、利用者が利用する際に一般的に良く実行される処理を抜粋してその流れを示したものである。次に図１２を参照して、ＡＴＭ１０の動作について詳細に説明する。図１２に示す処理は、ＡＴＭ制御部２１が記憶部２３に記憶されたプログラムを実行することで実現される。
【００４０】
先ず、ステップＳ１では、図１３（ａ）に示す取引種別選択画面を表示させる。次の図Ｓ２では、タッチパネル部１６への操作により、利用者が取引種別選択画面上の何らかのボタン（キー）を押下するのを待つ。それにより、何らかのボタンの押下によってステップＳ３に移行する。
【００４１】
ステップＳ３では、押下されたボタンはカードＣＤを使用する取引か否か判定する。図１３（ａ）に示す取引種別選択画面では、「通帳記帳」ボタンのみ、カードＣＤを必要としない取引用のボタンである。このことから、その「通帳記帳」ボタンを利用者が押下した場合、判定はＮＯとなってステップＳ４に移行し、そのボタンで選択された取引を行うための処理を実行した後、上記ステップＳ１に戻る。そうでない場合には、判定はＹＥＳとなってステップＳ５に移行する。ステップＳ４で実行される処理は、従来と同じ内容であるため、詳細は省略する。
【００４２】
ステップＳ５では、選択された取引種別、つまり押下されたボタンに割り当てている取引種別を記憶する。続くステップＳ６では、変数であるカード挿入回数に０を代入する。その次に移行するステップＳ７では、カードＣＤの挿入を促すために、図１３（ｂ）に示すようなカード挿入要求画面を表示部１５に表示させる。その表示後は、ステップＳ８に移行して、カードＣＤが挿入されるのを待つ。
【００４３】
カードＣＤの挿入は、カード出入口１１の近傍に配置したセンサにより検出される。センサがカードＣＤを検出すると、その旨がカード処理部２４からＡＴＭ制御部２１に通知される。その通知により、ステップＳ８からステップＳ９に移行する。
【００４４】
ステップＳ９では、カード処理部２４にカードＣＤを搬送させ、磁気リーダライタ部２４ａによる磁気ストライプに記録されたデータの読み取りを行わせる。次のステップＳ１０では、読み取り結果をカード処理部２４から取得し、内部メモリ２２に記憶する。その次のステップＳ１１では、読み取り結果として得られたＭＳ識別コード、及び記憶した取引種別を用いて図９に示すカード意匠パターン決定テーブルを参照し、カードパターン意匠番号を抽出する。その抽出後はステップＳ１２に移行する。
【００４５】
ステップＳ１２では、抽出した番号が０か否か判定する。０の番号は、選択した取引種別の取引が行える、つまり利用者がカードＣＤを適切に挿入したことを意味する。このことから、利用者がカードＣＤを適切に挿入していた場合、判定はＹＥＳとなってステップＳ２４に移行する。そうでない場合には、判定はＮＯとなってステップＳ１３に移行する。
【００４６】
ステップＳ１３では、カード挿入回数をインクリメントする。続くステップＳ１４では、カード挿入回数の値が所定値を越えたか否か判定する。その所定値が２であれば、カード挿入回数が３より大きいか否か判定する。その挿入回数が３より大きい場合、判定はＹＥＳとなってステップＳ２５に移行する。そうでない場合には、判定はＮＯとなってステップＳ１５に移行する。
【００４７】
誤った挿入を繰り返す利用者は、更に誤った挿入を繰り返す可能性が高い。このことから本実施形態では、挿入を繰り返し行える回数に上限を設け、その上限に達するまで誤った挿入を繰り返す利用者は、案内用の画像（図１１）を見ても適切な挿入を行えない人として対応するようにしている。
【００４８】
ステップＳ１５では、カードＣＤは初回の挿入か否か判定する。カード挿入回数が１より大きい場合、２回目以上の挿入を行っているとして、判定はＹＥＳとなり、ステップＳ１６でカードＣＤからオリジナルの意匠データを読み取って内部メモリ２２に記憶した後、ステップＳ１７に移行する。そうでない場合には、判定はＮＯとなってステップＳ１７に移行する。オリジナルの意匠データの読み取りは、カード処理部２４のカード通信部２４ｂを用いて行われる。
【００４９】
ステップＳ１７では、上記ステップＳ１１で抽出したカード意匠パターン番号を用いて図１０に示すカード意匠パターンテーブルを参照することにより、表裏のカード意匠番号を取得する。続くステップＳ１８では、取得したカード意匠番号が割り当てられているカード意匠データを記憶部２３から読み出す。次のステップＳ１９では、読み出したカード意匠データをカードＣＤに書き込むことにより、電子ペーパー４５及び４６の表示内容を変更する。その後は、ステップＳ２０でカードＣＤを返却する旨を利用者に通知するために図１３（ｃ）に示すようなカード返却画面を表示部１５に表示させ、更にステップＳ２１でカード処理部２４にカードＣＤをカード出入口１１から排出させる。
【００５０】
カード出入口１１から排出させた後は、ステップＳ２２に移行して、カードＣＤを抜き取るのを待つ。その抜き取りは、カード出入口１１への挿入と同様に、センサにより検出する。それにより、そのセンサがカードＣＤを検出しなくなった場合、カードＣＤが抜き取られたとして、ステップＳ２３に移行し、図１３（ｄ）に示すようなカード再挿入要求画面を表示部１５に表示させて、再挿入を利用者に促した後、上記ステップ８に戻り、カードＣＤが再度、挿入されるのを待つ。
【００５１】
このようにして利用者がカードＣＤを適切に挿入しなかった場合、無条件で電子ペーパー４５及び４６の表示内容を変更し、カードＣＤを適切に挿入するのを支援するための意匠を表示させる。このため、適切な挿入方向が分からない利用者であっても、迅速に適切な挿入方向でカードＣＤを挿入できるようになる。
【００５２】
上記ステップＳ１２の判定がＹＥＳとなって移行するステップＳ２４では、カードＣＤは初回の挿入か否か判定する。カード挿入回数が０であった場合、判定はＹＥＳとなってステップＳ３０に移行し、利用者が選択した取引種別に応じた処理を実行した後、上記ステップＳ１に戻る。そうでない場合には、判定はＮＯとなってステップＳ２５に移行する。
【００５３】
ステップＳ２４でのＮＯの判定は、カードＣＤの意匠がオリジナルではないものに書き換えられていることを意味する。このことから、ステップＳ２５では、ステップＳ１６で記憶したオリジナルの意匠データをカードＣＤに書き込み、電子ペーパー４５及び４６にオリジナルの意匠を表示させる。続くステップＳ２６では、カード挿入回数の値が所定値を越えたか否か判定する。その所定値が２であれば、カード挿入回数が３より大きいか否か判定する。その挿入回数が３より大きい場合、判定はＹＥＳとなってステップＳ２７に移行する。そうでない場合には、判定はＮＯとなってステップＳ３０に移行する。
【００５４】
ステップＳ２７では、最初からやりなおすように図１３（ｅ）に示すような取引終了画面を表示部１５に表示させる。続くステップＳ２８では、カード処理部２４にカードＣＤをカード出入口１１から排出させる。その後は、ステップＳ２９に移行して、カードＣＤを抜き取るのを待つ。その抜き取りが行われた場合に、上記ステップＳ１に戻る。
【００５５】
なお、本実施形態では、カードＣＤの両面に電子ペーパー４５及び４６が配置されていることを想定しているが、表裏のうちの一方の面にのみ電子ペーパーが配置されていることを想定して、１つの電子ペーパーのみ表示内容を変更するようにしても良い。表裏の一方の面にのみ電子ペーパーが配置されていることを想定する場合、電子ペーパーが配置された面を特定して、案内用に表示させる意匠を決定することが望ましい。また、電子ペーパーが表裏の両面に配置されているか否か、両面に配置されていないのであれば、配置されている面はどの面か、といったように確認して、案内用に表示させる意匠の数、及び意匠を表示させる面を決定するようにしても良い。
【００５６】
上記ＡＴＭ（自動機であるカード処理装置）１０、或いはその変形例を実現させるプロ
グラムは、記憶部２３に格納しているが、光ディスク、フラッシュメモリ等の記録媒体を介して配布しても良い。或いは通信ネットワークを介して配信するようにしても良い。カード処理装置は、自動機以外の種類であっても良い。
【図面の簡単な説明】
【００５７】
【図１】本実施形態によるカード処理装置の外観図である。
【図２】本実施形態によるカード処理装置の回路構成図である。
【図３】カード処理部２４の構成を示す図である。
【図４】一体型カード例を示す図である。
【図５】一体型カードの回路構成例を示す図である。
【図６】磁気ストライプのフォーマットを示す図である。
【図７】取引テーブルのデータ構成を示す図である。
【図８】ＭＳ識別テーブルのデータ構成を示す図である。
【図９】カード意匠パターン決定テーブルのデータ構成を示す図である。
【図１０】カード意匠パターンテーブルのデータ構成を示す図である。
【図１１】カードＣＤに搭載された２つの電子ペーパー４５及び４６に案内用に表示させるカード意匠データを説明する図である。
【図１２】全体処理のフローチャートである。
【図１３】表示部１５に表示させる各種画面を示す図である。
【符号の説明】
【００５８】
１０      ＡＴＭ（カード処理装置）
１１      カード出入口
１５      表示部
１６      タッチパネル部
２１      ＡＴＭ制御部
２２      内部メモリ
２３      記憶部
２４      カード処理部
２４ａ      磁気リーダライタ部
２４ｂ      カード通信部
２９      通信部
３１      搬送路
ＣＤ      カード
４１〜４４      磁気ストライプ
４５、４６      電子ペーパー
４７      アンテナ
５１      電子ペーパー表示部
５２      電子ペーパー通信部
５３      電子ペーパー制御部
５４      電子ペーパー記憶部
【図１】
2010055544.tif 000003
【図２】
2010055544.tif 000004
【図３】
2010055544.tif 000005
【図５】
2010055544.tif 000006
【図１２】
2010055544.tif 000007
【図１３】
2010055544.tif 000008
【図４】
2010055544.tif 000009
【図６】
2010055544.tif 000010
【図７】
2010055544.tif 000011
【図８】
2010055544.tif 000012
【図９】
2010055544.tif 000013
【図１０】
2010055544.tif 000014
【図１１】
2010055544.tif 000015